(57)【特許請求の範囲】
【請求項１】
モータと、
前記モータを収容するハウジングと、
前記ハウジングから下方に突出し、前記モータにより駆動されて回転するスピンドルと、
前記スピンドルの周方向に設けられ及び前記ハウジングに固定されて、前記スピンドルに装着される先端工具の上方を少なくとも部分的に覆う第一のカバーと、
前記第一のカバーに着脱可能に装着される第二のカバーと、
を備え、前記第二のカバーは、全体が弾性材料によって構成され、弾性的な変形を伴って前記第一のカバーに着脱され、前記第一のカバーに装着された状態で、前記第一のカバーにより覆われない前記先端工具の下方の領域を少なくとも部分的に覆うグラインダ。
【請求項２】
前記第二のカバーは、全体がゴムによって構成される請求項１記載のグラインダ。
【請求項３】
モータと、
前記モータを収容するハウジングと、
前記ハウジングから下方に突出し、前記モータにより駆動されて回転するスピンドルと、
前記スピンドルの周方向に設けられ及び前記ハウジングに固定されて、前記スピンドルに装着される先端工具の上方を少なくとも部分的に覆う第一のカバーと、
前記第一のカバーに着脱可能に装着される第二のカバーと、
を備え、
前記第二のカバーは、前記周方向に垂直な上下方向において異なる第一の向き及び第二の向きで前記第一のカバーに装着され、
前記第一のカバーは、下方に前記先端工具を覆わない開口部を有し、前記第二のカバーの向きに応じて、前記第二のカバーにより覆われる前記開口部の面積が変化するグラインダ。
【請求項４】
モータと、
前記モータを収容するハウジングと、
前記ハウジングから下方に突出し、前記モータにより駆動されて回転するスピンドルと、
前記スピンドルの周方向に設けられ及び前記ハウジングに固定されて、前記スピンドルに装着される先端工具の上方を少なくとも部分的に覆う第一のカバーと、
前記第一のカバーに着脱可能に装着される第二のカバーと、
を備え、
前記第二のカバーは、第一の向き及び第二の向きで前記第一のカバーに装着され、
前記第一及び前記第二のカバーにより覆われる前記先端工具の領域は、前記第二のカバーの向きに応じて変化し、
前記第二のカバーは、前記第一の向きで前記第一のカバーに装着される場合には、前記第一のカバーの上部外面と前記第二のカバーの前記先端工具を向く内面とが近接するように前記第一のカバーに装着されて、前記第一のカバーの上部外面側に収容され、前記第二の向きで前記第一のカバーに装着される場合には、前記第二のカバーの前記内面と前記第一のカバーの前記先端工具を向く内面とが対向するように前記第一のカバーに装着されて、前記第一のカバーの前記内面との間に前記先端工具を収容する空間を形成し、前記先端工具の下方を少なくとも部分的に覆うグラインダ。
【請求項５】
前記第一及び前記第二のカバーは、前記第二のカバーが前記第一のカバーに装着された状態において互いに連通する孔を有し、
前記グラインダは、前記孔に着脱可能な固定具を有し、
前記第二のカバーは、前記第一のカバーに装着された状態で前記孔に装着される前記固定具の機能によって前記第一のカバーに固定される請求項３又は請求項４に記載のグラインダ。
【請求項６】
前記第一のカバーは、上部構成体及び前記上部構成体の側縁から下方に延びる側部構成体を有して、前記先端工具の上方及び側方を少なくとも部分的に覆い、下方に開口部を有した構成にされ、
前記第二のカバーは、前記第一のカバーに着脱可能に装着されて、前記開口部を少なくとも部分的に覆う請求項１又は請求項２記載のグラインダ。
【請求項７】
前記第一のカバーは、上部構成体及び前記上部構成体の側縁から下方に延びる側部構成体を有して、前記先端工具の上方及び側方を少なくとも部分的に覆い、下方に開口部を有した構成にされ、
前記第二のカバーは、前記第一の向きでは、前記開口部を覆わず、前記第二の向きでは、前記開口部を少なくとも部分的に覆うように、前記第一のカバーに着脱可能に装着されて、前記第二の向きでは、前記開口部を少なくとも部分的に覆うことにより、前記先端工具の下方を少なくとも部分的に覆う請求項３又は請求項４記載のグラインダ。
【請求項８】
モータと、
前記モータを収容するハウジングと、
前記ハウジングから下方に突出し、前記モータにより駆動されて回転するスピンドルと、
前記スピンドルの周方向に設けられ及び前記ハウジングに固定されて、前記スピンドルに装着される先端工具の上方を少なくとも部分的に覆う第一のカバーと、
前記第一のカバーに着脱可能に装着される第二のカバーと、
を備え、
前記第一のカバーは、上部構成体及び前記上部構成体の側縁から下方に延びる側部構成体を有して、前記先端工具の上方及び側方を少なくとも部分的に覆い、下方に開口部を有した構成にされ、
前記第二のカバーは、前記第一のカバーの前記開口部に着脱可能に装着されて、前記先端工具の下方を少なくとも部分的に覆い、
前記開口部は、半円状であり、
前記第一のカバーは、前記開口部の内側に沿って前記開口部の周方向に半円弧状に延びる凸条を備え、
前記第二のカバーは、前記第一のカバーの前記開口部を覆うための半円構造を有し、前記半円構造が前記第一のカバーが備える前記凸条と係合する凹部を周縁に備え、
前記第二のカバーは、前記凸条に係合するように前記第一のカバーに装着され、前記凸条に支持されて、前記開口部を覆い、それによって前記先端工具の下方を少なくとも部分的に覆うグラインダ。
【請求項９】
モータと、
前記モータを収容するハウジングと、
前記ハウジングから下方に突出し、前記モータにより駆動されて回転するスピンドルと、
前記スピンドルの周方向に設けられ及び前記ハウジングに固定されて、前記スピンドルに装着される先端工具の上方を少なくとも部分的に覆う第一のカバーと、
前記第一のカバーに着脱可能に装着される第二のカバーと、
を備え、
前記第一のカバーは、上部構成体及び前記上部構成体の側縁から下方に延びる側部構成体を有して、前記先端工具の上方及び側方を少なくとも部分的に覆い、下方に開口部を有した構成にされ、
前記第二のカバーは、前記第一のカバーの前記開口部に着脱可能に装着されて、前記先端工具の下方を少なくとも部分的に覆い、
前記開口部は、半円状であり、
前記第一のカバーは、前記開口部の内側に沿って前記開口部の周方向に半円弧状に延びる凹条を備え、
前記第二のカバーは、前記第一のカバーの前記開口部を覆うための半円構造を有し、前記半円構造が前記第一のカバーが備える前記凹条と係合する周縁を有し、
前記第二のカバーは、前記凹条に係合するように前記第一のカバーに装着され、前記凹条に支持されて、前記開口部を覆い、それによって前記先端工具の下方を少なくとも部分的に覆うグラインダ。
【請求項１０】
グラインダが備えるハウジングから下方に突出するスピンドルに装着される先端工具を少なくとも部分的に覆うカバーセットであって、
前記スピンドルの周方向に設けられ及び前記ハウジングに固定されて、前記先端工具の上方を少なくとも部分的に覆う第一のカバーと、
前記第一のカバーに対して着脱可能に装着される第二のカバーと、
を備え、前記第二のカバーは、全体が弾性材料によって構成され、弾性的な変形を伴って前記第一のカバーに着脱され、前記第一のカバーに装着された状態で、前記第一のカバーにより覆われない前記先端工具の下方の領域を少なくとも部分的に覆うカバーセット。
【請求項１１】
前記第二のカバーは、全体がゴムによって構成される請求項１０記載のカバーセット。
【請求項１２】
グラインダが備えるハウジングから下方に突出するスピンドルに装着される先端工具を少なくとも部分的に覆うカバーセットであって、
前記スピンドルの周方向に設けられ及び前記ハウジングに固定されて、前記先端工具の上方を少なくとも部分的に覆う第一のカバーと、
前記第一のカバーに対して着脱可能に装着される第二のカバーと、
を備え、
前記第二のカバーは、前記周方向に垂直な上下方向において異なる第一の向き及び第二の向きで前記第一のカバーに装着され、
前記第一のカバーは、下方に前記先端工具を覆わない開口部を有し、前記第二のカバーの向きに応じて、前記第二のカバーにより覆われる前記開口部の面積が変化するカバーセット。
【請求項１３】
グラインダが備えるハウジングから下方に突出するスピンドルに装着される先端工具を少なくとも部分的に覆うカバーセットであって、
前記スピンドルの周方向に設けられ及び前記ハウジングに固定されて、前記先端工具の上方を少なくとも部分的に覆う第一のカバーと、
前記第一のカバーに対して着脱可能に装着される第二のカバーと、
を備え、
前記第二のカバーは、第一の向き及び第二の向きで前記第一のカバーに装着され、
前記第一及び前記第二のカバーにより覆われる前記先端工具の領域は、前記第二のカバーの向きに応じて変化し、
前記第二のカバーは、前記第一の向きで前記第一のカバーに装着される場合には、前記第一のカバーの上部外面と前記第二のカバーの前記先端工具を向く内面とが近接するように前記第一のカバーに装着されて、前記第一のカバーの上部外面側に収容され、前記第二の向きで前記第一のカバーに装着される場合には、前記第二のカバーの前記内面と前記第一のカバーの前記先端工具を向く内面とが対向するように前記第一のカバーに装着されて、前記第一のカバーの前記内面との間に前記先端工具を収容する空間を形成し、前記先端工具の下方を少なくとも部分的に覆うカバーセット。
【請求項１４】
前記第一及び前記第二のカバーは、前記第二のカバーが前記第一のカバーに装着された状態において互いに連通する孔を有し、
前記カバーセットは、前記孔に着脱可能な固定具を有し、
前記第二のカバーは、前記第一のカバーに装着された状態で前記孔に装着される前記固定具の機能によって前記第一のカバーに固定される請求項１２又は請求項１３に記載のカバーセット。
【請求項１５】
前記第一のカバーは、上部構成体及び前記上部構成体の側縁から下方に延びる側部構成体を有して、前記先端工具の上方及び側方を少なくとも部分的に覆い、下方に開口部を有した構成にされ、
前記第二のカバーは、前記第一のカバーに着脱可能に装着されて、前記開口部を少なくとも部分的に覆う請求項１０又は請求項１１記載のカバーセット。
【請求項１６】
前記第一のカバーは、上部構成体及び前記上部構成体の側縁から下方に延びる側部構成体を有して、前記先端工具の上方及び側方を少なくとも部分的に覆い、下方に開口部を有した構成にされ、
前記第二のカバーは、前記第一の向きでは、前記開口部を覆わず、前記第二の向きでは、前記開口部を少なくとも部分的に覆うように、前記第一のカバーに着脱可能に装着されて、前記第二の向きでは、前記開口部を少なくとも部分的に覆うことにより、前記先端工具の下方を少なくとも部分的に覆う請求項１２又は請求項１３記載のカバーセット。
【請求項１７】
グラインダが備えるハウジングから下方に突出するスピンドルに装着される先端工具を少なくとも部分的に覆うカバーセットであって、
前記スピンドルの周方向に設けられ及び前記ハウジングに固定されて、前記先端工具の上方を少なくとも部分的に覆う第一のカバーと、
前記第一のカバーに対して着脱可能に装着される第二のカバーと、
を備え、
前記第一のカバーは、上部構成体及び前記上部構成体の側縁から下方に延びる側部構成体を有して、前記先端工具の上方及び側方を少なくとも部分的に覆い、下方に開口部を有した構成にされ、
前記第二のカバーは、前記第一のカバーの前記開口部に着脱可能に装着されて、前記先端工具の下方を少なくとも部分的に覆い、
前記開口部は、半円状であり、
前記第一のカバーは、前記開口部の内側に沿って前記開口部の周方向に半円弧状に延びる凸条を備え、
前記第二のカバーは、前記第一のカバーの前記開口部を覆うための半円構造を有し、前記半円構造が前記第一のカバーが備える前記凸条と係合する凹部を周縁に備え、
前記第二のカバーは、前記凸条に係合するように前記第一のカバーに装着され、前記凸条に支持されて、前記開口部を覆い、それによって前記先端工具の下方を少なくとも部分的に覆うカバーセット。
【請求項１８】
モータと、
前記モータを収容するハウジングと、
前記ハウジングから下方に突出し、前記モータにより駆動されて回転するスピンドルと、
前記スピンドルの周方向に設けられ及び前記ハウジングに固定されて、前記スピンドルに装着される先端工具の上方を少なくとも部分的に覆う第一のカバーと、
前記第一のカバーに着脱可能に装着される第二のカバーと、
を備え、
前記第一のカバーは、上部構成体及び前記上部構成体の側縁から下方に延びる側部構成体を有して、前記先端工具の上方及び側方を少なくとも部分的に覆い、下方に開口部を有した構成にされ、
前記第二のカバーは、前記第一のカバーの前記開口部に着脱可能に装着されて、前記先端工具の下方を少なくとも部分的に覆い、
前記開口部は、半円状であり、
前記第一のカバーは、前記開口部の内側に沿って前記開口部の周方向に半円弧状に延びる凹条を備え、
前記第二のカバーは、前記第一のカバーの前記開口部を覆うための半円構造を有し、前記半円構造が前記第一のカバーが備える前記凹条と係合する周縁を有し、
前記第二のカバーは、前記凹条に係合するように前記第一のカバーに装着され、前記凹条に支持されて、前記開口部を覆い、それによって前記先端工具の下方を少なくとも部分的に覆うカバーセット。
【請求項１９】
ハウジングから下方に突出するスピンドルと、前記スピンドルの周方向に設けられ及び前記ハウジングに固定されて、前記スピンドルに装着される先端工具の上方を少なくとも部分的に覆う付属カバーと、を備えるグラインダ用のカバーであって、
全体が弾性材料によって構成され、弾性的な変形を伴って前記付属カバーに着脱可能に装着され、前記付属カバーに装着された状態で、前記付属カバーにより覆われない前記先端工具の下方の領域を少なくとも部分的に覆うように構成されるカバー。
【発明の詳細な説明】
【技術分野】
【０００１】
本発明は、グラインダに関する。
【背景技術】
【０００２】
従来、被加工材に対して研削、研磨及び切断等の加工を行うことが可能なグラインダが知られている。グラインダは、駆動デバイスにより回転駆動されるスピンドルを備える。スピンドルには、種々の先端工具が着脱可能に装着される。グラインダには、先端工具の上方を覆う保護カバーが通常装着される（例えば特許文献１参照）。
【先行技術文献】
【特許文献】
【０００３】
【特許文献１】特開２０１３−７８８２３号公報
【発明の概要】
【発明が解決しようとする課題】
【０００４】
ところで、粉塵の飛散抑制のために、保護カバーにより先端工具を覆う面積を増やすと、保護カバーが被加工材に干渉して、作業性及びグラインダの加工能力が低下する。
そのため、従来では、先端工具の種類毎に、保護カバーが用意されていた。先端工具の種類毎に専用の保護カバーは、加工作業に適した形状によって、粉塵の飛散を抑制しながら、高い作業性及び加工能力を実現することができる。
【０００５】
しかしながら、先端工具の取替と併せて、保護カバーを取り替えることは、作業者にとって非常に手間である。このため、従来では、保護カバーを取り替えずに、先端工具のみを取り替えて、作業する作業者も多かった。
【０００６】
そこで、本発明の一側面では、粉塵の飛散を抑制する能力を有しながら、利便性の高いグラインダ及びカバーを提供できることが望ましい。
【課題を解決するための手段】
【０００７】
本発明の一側面に係るグラインダは、モータと、ハウジングと、スピンドルと、第一及び第二のカバーと、を備える。ハウジングは、モータを収容する。スピンドルは、ハウジングから下方に突出し、モータにより駆動されて回転する。第一及び第二のカバーは、スピンドルに装着される先端工具を少なくとも部分的に覆う。
【０００８】
本発明の一側面によれば、第一のカバーは、スピンドルの周方向に設けられ及びハウジングに固定されて、先端工具の上方を少なくとも部分的に覆うように構成される。第二のカバーは、第一のカバーに着脱可能に装着される。
【０００９】
上記第一及び第二のカバーを備えるグラインダによれば、先端工具の種類、それによる被加工材の加工方法の違いに合わせて、第二のカバーを第一のカバーに対して着脱することができる。従って、本発明の一側面によれば、利便性の高いグラインダを提供することができる。第二のカバーの第一のカバーに対する装着は、第一のカバーが覆う領域を第二のカバーで補強するため、又は、第一のカバーで覆われない領域を、第二のカバーで覆うために行うことができる。
【００１０】
本発明の一側面によれば、第二のカバーは、第一のカバーに装着された状態で、第一のカバーにより覆われない先端工具の領域を少なくとも部分的に覆うように構成され得る。この構成によれば、先端工具の周囲のうち、第一及び第二のカバーにより覆われる先端工具の領域を、第二のカバーの着脱によって調整可能である。
【００１１】
着脱は、例えば、加工作業時の先端工具と被加工材との干渉を抑えるために行うことが可能である。あるいは、先端工具の取替時の先端工具とカバーとの干渉を抑えるために行うことが可能である。従って、本発明の一側面によれば、複数種類の先端工具が利用される場合にも、利便性の高いグラインダを提供することができる。
【００１２】
本発明の一側面によれば、第二のカバーは、第一のカバーにより覆われない先端工具の下方の領域を少なくとも部分的に覆うように構成されてもよい。周知のように、加工作業時に被加工材と接近する先端工具の部位は、先端工具の種類及び加工方法によって異なる。ある作業では、先端工具の下面が利用され、別の作業では、先端工具の側面又は側縁が利用される。従って、第二のカバーの着脱により、先端工具の下方の被覆を変更可能なグラインダによれば、上述した複数の作業に対して高い作業性を示す。
【００１３】
本発明の一側面によれば、第二のカバーは、少なくとも部分的に弾性材料によって構成されてもよい。第二のカバーは、弾性的な変形を伴って第一のカバーに着脱される構成にされてもよい。この構成によれば、作業者が第二のカバーを第一のカバーに簡単に着脱することができ、弾性的な変形により、第二のカバーを第一のカバーに適切に固定することができる。換言すれば、上記構成によれば、作業者が第二のカバーの着脱作業に対して煩わしさを感じるのを抑制することができ、必要に応じて適切に第二のカバーを着脱するように作業者に促すことができる。
【００１４】
本発明の一側面によれば、グラインダは、第二のカバーが、複数の向きで第一のカバーに装着可能であるように構成されてもよい。グラインダは、第一及び第二のカバーにより覆われる先端工具の領域が、第二のカバーの向きに応じて変化するように構成され得る。こうしたグラインダの構成によれば、作業者は、粉塵の飛散抑制を考慮しながら、被覆によって作業性が低下しないように、第二のカバーの向きを変更することができる。
【００１５】
本発明の一側面によれば、第二のカバーは、複数の向きの内、第一の向きで第一のカバーに装着される場合には、第一のカバーの上部外面と第二のカバーの先端工具を向く内面とが近接するように第一のカバーに装着されて、第一のカバーの上部外面側に収容されるように構成され得る。第二のカバーは、複数の向きの内、第二の向きで第一のカバーに装着される場合には、第二のカバーの内面と第一のカバーの先端工具を向く内面とが対向するように第一のカバーに装着されて、第一のカバーの内面との間に先端工具を収容する空間を形成し、先端工具の下方を少なくとも部分的に覆うように構成され得る。
【００１６】
あるいは、第二のカバーは、複数の向きの内、第一の向きで第一のカバーに装着される場合には、第二のカバーの先端工具を向く内面とは反対側の外面が、第一のカバーの先端工具を向く内面と近接するように第一のカバーに装着されて、第一のカバーの内面側に収容されるように構成されてもよい。
【００１７】
これらの構成によれば、第二のカバーの向きの変更によって、覆われる先端工具の下方の領域を変更することができる。更に、第二のカバーを先端工具の下方の領域を覆う目的で使用しないときにも、第一のカバーに向きを変えて装着しておくことができる。従って、第二のカバーが第一のカバーから取り外されたままとされることにより、作業者が第二のカバーを紛失してしまう可能性を抑制することができる。即ち、この構成によれば、利便性の高いグラインダを提供することができる。
【００１８】
本発明の一側面によれば、第一及び第二のカバーは、第二のカバーが第一のカバーに装着された状態において互いに連通する孔を有した構成にされてもよい。この場合、第二のカバーは、第一のカバーに装着された状態で孔に装着される固定具の機能によって第一のカバーに固定されるとよい。グラインダは、孔に着脱可能な固定具を有し得る。第一及び第二のカバーは、第二のカバーが第一のカバーに対して上記複数の向きのいずれで装着される場合においても、又は、上記第一及び第二の向きのいずれで装着される場合においても、連通する孔を有した構成にされ得る。こうした構成によれば、着脱可能でありながら、第二のカバーを適切に第一のカバーに固定することができる。
【００１９】
本発明の一側面によれば、第一のカバーは、上部構成体及び上部構成体の側縁から下方に延びる側部構成体を有して、先端工具の上方及び側方を少なくとも部分的に覆い、下方に開口部を有した構成にされてもよい。この場合、第二のカバーは、第一のカバーの開口部に着脱可能に装着されて、先端工具の下方を少なくとも部分的に覆うように構成され得る。
【００２０】
本発明の一側面によれば、第一のカバーは、開口部の内側に沿って延びる凸条を備えた構成にされてもよく、第二のカバーは、第一のカバーが備える凸条と係合する凹部を第二のカバーの側縁に備え、凸条に係合するように第一のカバーに装着され、凸条に支持されて、開口部で先端工具の下方を少なくとも部分的に覆うように構成されてもよい。
【００２１】
あるいは、第一のカバーは、開口部の内側に沿って延びる凹条を備えた構成にされてもよく、第二のカバーは、第一のカバーが備える凹条と係合する側縁を有し、凹条に係合するように第一のカバーに装着され、凹条に支持されて、開口部で先端工具の下方を少なくとも部分的に覆うように構成されてもよい。
【００２２】
本発明の一側面によれば、モータと、ハウジングと、スピンドルと、スピンドルの周方向に設けられ及びハウジングに固定されて、スピンドルに装着される先端工具の上方を少なくとも部分的に覆う第一のカバーと、第一のカバーに着脱可能に装着され、第一のカバーにより覆われない先端工具の領域を少なくとも部分的に覆う第二のカバーと、を備え、第二のカバーが第一のカバーに螺子で固定されるグラインダが提供されてもよい。
【００２３】
本発明の一側面によれば、モータと、ハウジングと、スピンドルと、スピンドルの周方向に設けられ及びハウジングに固定されて、スピンドルに装着される先端工具の上方を少なくとも部分的に覆う第一のカバーと、第一のカバーとは独立して、ハウジングに装着される第二のカバーと、を備えるグラインダが提供されてもよい。第二のカバーは、ハウジングに着脱可能に装着され得る。第二のカバーは、第一のカバーにより覆われない先端工具の領域を少なくとも部分的に覆うように構成され得る。
【００２４】
本発明の一側面によれば、ハウジングは、作業者により把持されるグリップを着脱可能に固定するためのグリップ固定部を備えていてもよく、第二のカバーは、グリップ固定部でハウジングに着脱可能に固定されてもよい。この構成によれば、グラインダが備えるグリップ固定部を有効活用して、第二のカバーを容易かつ適切に固定することができる。
【００２５】
本発明の一側面によれば、ハウジングは、作業者により把持されるグリップを着脱可能に固定するためのグリップ固定部を備える上部ハウジングと、上部ハウジングに固定され、スピンドルを下方に突出する下部ハウジングと、を含み得る。この場合、第一のカバーは、下部ハウジングに固定されてもよく、第二のカバーは、グリップ固定部で上部ハウジングに着脱可能に固定されて、第一のカバーにより覆われない先端工具の領域を少なくとも部分的に覆うように構成されてもよい。
【００２６】
本発明の一側面によれば、第二のカバーは、先端工具の下方を少なくとも部分的に覆うカバー本体と、（例えばグリップ固定部で）ハウジングに着脱可能に固定される一端を有し、一端から先端工具の下方に延びてカバー本体を先端工具の下方に保持する保持具と、を備えた構成にされてもよい。カバー本体は、保持具に対して、周方向に回転可能に保持され、先端工具を覆う領域を変更可能に構成されてもよい。
【００２７】
この他、本発明の一側面によれば、グラインダに装着される上述の第一及び第二のカバーが提供されてもよい。本発明の一側面によれば、グラインダが備えるハウジングから下方に突出するスピンドルに装着される先端工具を少なくとも部分的に覆うカバーセットであって、第一及び第二のカバーを備え、第一及び第二のカバーが上述した特徴の少なくとも一つを有するカバーセットが提供されてもよい。本発明の一側面によれば、上述の第一のカバー、及び、第二のカバーが夫々単体で提供されてもよい。
【００２８】
本発明の一側面によれば、ハウジングから下方に突出するスピンドルと、スピンドルの周方向に設けられ及びハウジングに固定されて、スピンドルに装着される先端工具の上方を少なくとも部分的に覆う付属カバーと、を備えるグラインダ用の補助カバーであって、少なくとも部分的に弾性材料によって構成され、弾性的な変形を伴って付属カバーに着脱可能に装着され、付属カバーにより覆われない先端工具の領域を少なくとも部分的に覆うように構成される補助カバーが提供されてもよい。
【００２９】
本発明の一側面によれば、グラインダが備えるハウジングであって、グリップ固定部を備えるハウジングから下方に突出するスピンドルに装着される先端工具を少なくとも部分的に覆うカバーであって、先端工具の下方を少なくとも部分的に覆うカバー本体と、グリップ固定部でハウジングに固定される一端を有し、一端から先端工具の下方に延びてカバー本体を先端工具の下方に保持する保持具と、を備えるカバーが提供されてもよい。
【図面の簡単な説明】
【００３０】
【図１】グラインダの内部構成を表す断面図である。
【図２】従来型の保護カバーが装着された状態でのスピンドル周囲の構成を表す断面図である。
【図３】第一実施形態のグラインダの前方からの斜視図である。
【図４】第一実施形態のグラインダが備える第二保護カバーの斜視図である。
【図５】第一実施形態のグラインダの側面図である。
【図６】第一実施形態のグラインダの下方からの斜視図である。
【図７】第二実施形態のグラインダの前方からの斜視図である。
【図８】第二実施形態のグラインダが備える第二保護カバーの斜視図である。
【図９】第三実施形態のグラインダの前方からの斜視図である。
【図１０】第三実施形態のグラインダが備える第二保護カバーの斜視図である。
【図１１】第三実施形態のグラインダの側面図である。
【図１２】第三実施形態のグラインダの下方からの斜視図である。
【図１３】第四実施形態のグラインダが備える第二保護カバーの斜視図である。
【図１４】第一保護カバーに装着された第四実施形態の第二保護カバーの斜視図である。
【図１５】第四実施形態のグラインダの下面図である。
【図１６】第五実施形態のグラインダの第一態様を表す斜視図である。
【図１７】第二保護カバーが上向きで第一保護カバーに装着される前の第五実施形態の第一保護カバー及び第二保護カバーの斜視図である。
【図１８】第二保護カバーが上向きで第一保護カバーに装着及び固定された状態における第五実施形態の第一保護カバー及び第二保護カバーの斜視図である。
【図１９】第二保護カバーが上向きで第一保護カバーに固定される前の第五実施形態の第一保護カバー、第二保護カバー及び固定具の断面図である。
【図２０】第二保護カバーが上向きで第一保護カバーに固定された状態における第五実施形態の第一保護カバー、第二保護カバー及び固定具の断面図である。
【図２１】第二保護カバーが下向きで第一保護カバーに装着される前の第五実施形態の第一保護カバー及び第二保護カバーの斜視図である。
【図２２】第二保護カバーが下向きで第一保護カバーに装着及び固定された状態における第五実施形態の第一保護カバー及び第二保護カバーの斜視図である。
【図２３】第二保護カバーが下向きで第一保護カバーに固定された状態における第五実施形態の第一保護カバー、第二保護カバー及び固定具の断面図である。
【図２４】第五実施形態のグラインダの第二態様を表す斜視図である。
【図２５】第六実施形態のグラインダの第一態様を表す斜視図である。
【図２６】第二保護カバーが上向きで第一保護カバーに固定された状態における第六実施形態の第一保護カバー及び第二保護カバーの斜視図である。
【図２７】第二保護カバーが下向きで第一保護カバーに固定された状態における第六実施形態の第一保護カバー及び第二保護カバーの斜視図である。
【図２８】第六実施形態のグラインダの第二態様を表す下面図である。
【図２９】第七実施形態のグラインダの下面図である。
【図３０】第七実施形態のグラインダが備える第一保護カバーの斜視図である。
【図３１】第二保護カバーが第一保護カバーに固定された状態における第七実施形態の第一保護カバー及び第二保護カバーの側面図である。
【図３２】第二保護カバーが第一保護カバーに固定された状態における第七実施形態の第一保護カバー及び第二保護カバーの拡大断面図である。
【図３３】第二保護カバーが第一保護カバーに固定された状態における第七実施形態の第一保護カバー及び第二保護カバーの一部透過下面図である。
【図３４】第八実施形態のグラインダの第一態様を表す斜視図である。
【図３５】第二保護カバーが第一保護カバーに装着される前の第八実施形態の第一保護カバー及び第二保護カバーの斜視図である。
【図３６】第二保護カバーが第一保護カバーに固定された後の第八実施形態の第一保護カバー及び第二保護カバーの側面図である。
【図３７】第八実施形態のグラインダの第二態様を表す下面図である。
【発明を実施するための形態】
【００３１】
以下に本発明の例示的実施形態を図面と共に説明する。
［基本構成］
最初に、基本的なグラインダ１の内部構成を説明する。グラインダ１は、ディスク（円板）状の先端工具４０が取り付けられる所謂ディスクグラインダである。このグラインダ１は、先端工具４０の回転により被加工材を加工する。先端工具４０には、切断砥石及び研削砥石等の各種砥石、更にはワイヤブラシが含まれる。グラインダ１は、先端工具４０を取替可能に構成される。
【００３２】
このグラインダ１に続いて説明される第一実施形態〜第八実施形態のグラインダ１００，２００，３００，４００，５００，６００，７００，８００は、図１に示すグラインダ１又は類似のグラインダに、各実施形態に特徴的な保護カバーが取り付けられた構成にされる。
【００３３】
これら複数の実施形態では、長尺なグラインダ本体の軸線、又は、それに対応するモータ１２の回転軸１４に沿って前後方向を定義する。具体的には、グラインダ本体のスピンドル２４が設けられている側を「前」、その反対側を「後」と定義する。
【００３４】
また、スピンドル２４の軸線を基準に上下方向を定義する。具体的には、スピンドル２４の第一ギヤハウジング６及び第二ギヤハウジング３０に収納される側を「上」、スピンドル２４の先端工具４０が取り付けられる側を「下」と定義する。また、上下方向に広がる面を「側面」と定義し、方向に関する用語を用いる。
【００３５】
図１に示すグラインダ１は、モータハウジング４と、第一ギヤハウジング６と、リアカバー８とを備える。グラインダ１は、更に第二ギヤハウジング３０を備える。グラインダ１が備える内部要素は、モータハウジング４、第一ギヤハウジング６、第二ギヤハウジング３０、及び、リアカバー８によって主に形成されるグラインダ本体の内部空間に収容される。
【００３６】
モータハウジング４は、略円筒形状のハウジングであり、モータ１２を収容する。モータ１２の回転軸１４は、隣接する第一ギヤハウジング６に向かって突出するように配置されている。リアカバー８は、モータハウジング４の後方に設けられ、モータ１２に駆動電流を入力しモータ１２を駆動するための回路系を収容する。回路系には、図１では示されない電源コード１８（図３等参照）を通じて外部から電力が供給される。グラインダ１の駆動は、外部に露出するように設けられる図１では示されないスイッチ操作部１９に対する作業者の操作を通じて、オン／オフされる。
【００３７】
第一ギヤハウジング６は、モータハウジング４の前方に設けられ、第一ベベルギヤ２０、第二ベベルギヤ２２、スピンドル２４、及び、ベアリング２６，２８を収容する。
第一ベベルギヤ２０は、第一ギヤハウジング６内でモータ１２の回転軸に固定される。第二ベベルギヤ２２及びスピンドル２４は、ベアリング２６を介して、第一ギヤハウジング６とは別体で構成された第二ギヤハウジング３０に回転可能に設けられる。第二ベベルギヤ２２及びスピンドル２４の上部は、第二ギヤハウジング３０が第一ギヤハウジング６に固定されることで、第一ギヤハウジング６内に収容される。
【００３８】
第二ギヤハウジング３０は、スピンドル２４がモータ１２の回転軸１４と直交するように、第一ギヤハウジング６に固定される。第二ギヤハウジング３０は、例えば第一ギヤハウジング６に螺子止めされる。
【００３９】
第二ベベルギヤ２２は、スピンドル２４に固定されている。第二ベベルギヤ２２は、第一ギヤハウジング６内で第一ベベルギヤ２０と噛合い、モータ１２の回転出力をスピンドル２４の軸周りの回転力に変換する。
【００４０】
スピンドル２４の一端は、ベアリング２８を介して、第一ギヤハウジング６に回転自在に支持されており、スピンドル２４の他端は、第二ギヤハウジング３０から下方に突出している。
【００４１】
スピンドル２４の第二ギヤハウジング３０からの突出部分には、ディスク状の先端工具４０を位置決め固定するためのインナーフランジ３２が設けられる。スピンドル２４のインナーフランジ３２よりも更に先端の外周部分には、ロックナット３４を螺合するための螺子部２５が形成されている。ロックナット３４は、スピンドル２４の下端に螺子留めにより固定されて、インナーフランジ３２との間で先端工具４０を挟持及び固定する。
【００４２】
このように構成されたグラインダ１では、スイッチ操作部１９を用いてオン操作すると、モータ１２が回転し、その回転出力が、第一ギヤハウジング６内のギヤ機構（ベベルギヤ２０，２２）を介してスピンドル２４に伝達される。即ち、スピンドル２４は、ハウジング４，６，３０に収容されるモータ１２及びギヤ機構を含む駆動デバイスによって回転駆動される。
【００４３】
このため、ロックナット３４を介して、先端工具４０がスピンドル２４に固定された状態では、スピンドル２４の回転に合わせて、先端工具４０が回転する。先端工具４０の回転により、グラインダ１は、被加工材に対する研削、研磨、及び切断等の加工を行う。但し、実現可能な加工は、スピンドル２４に取り付けられる先端工具４０の種類による。
【００４４】
モータ１２の回転軸１４には、リアカバー８の吸入孔から外気を導入して、第一ギヤハウジング６に設けられた排出孔７から空気を排出させるファン１５が設けられている。
グラインダ１には更に、ディスク状の先端工具４０を覆う保護カバー６０が設けられる（図２参照）。この保護カバー６０は、当技術分野においてホイールカバー又はディスクカバーとも呼ばれる。本明細書における「覆う」との記載は、対象を少なくとも部分的に覆うことを意味し、特段の言及がない限りにおいて、対象全体を覆うことに限定されない。
【００４５】
図２には、図１に示すグラインダ１に従来型の保護カバー６０が装着された状態でのスピンドル２４及び先端工具４０周辺の断面構成を示す。
図２に示される保護カバー６０は、ディスク状の先端工具４０における上部後方の半円部分を覆うための半円状の上部構成体６１と、上部構成体６１の外周端縁から下方に延びる側部構成体６３とを備える。この保護カバー６０は、上部構成体６１及び側部構成体６３が一体に形成された構成にされる。例えば、上部構成体６１及び側部構成体６３は、金属材料により一体に形成された構成にされる。側部構成体６３は、下端に湾曲部６４を備え、下端で僅かに径方向内側に湾曲した構成にされる。
【００４６】
保護カバー６０は、第二ギヤハウジング３０に保護カバー６０を固定するための円筒部６７を更に有する。円筒部６７は、上部構成体６１の外周円弧と同心の円筒部として上部構成体６１に設けられる。この円筒部６７は、内径が第二ギヤハウジング３０に設けられた円状の側面を有するカバー接続部３１の外径よりも僅かに大きいサイズに設計される。
【００４７】
図２には示されないが、円筒部６７は、上下方向に垂直な面に沿う断面が開環形状を示すように構成され、周方向において開いた部分に、第二ギヤハウジング３０のカバー接続部３１に対して円筒部６７を径方向内側に締め付けるための締付部を備える。図１３には同等の構成を有する円筒部４５０及び締付部４５５が示される。
【００４８】
この締付部は、この締付部を両側から挟む螺子とナットとの位置関係が変化することにより、円筒部６７の内側を、第二ギヤハウジング３０のカバー接続部３１に締め付けて、保護カバー６０を第二ギヤハウジング３０に固定するように機能する。図２に示される保護カバー６０は、例えば、研削砥石により被加工材を加工するときに用いられる。
【００４９】
付言すると、保護カバー６０は、カバー接続部３１に対して周方向に任意の角度（向き）で取り付け可能である。図２に示される配置は、研削加工において一般的な配置である。以下の各実施形態で説明する第一保護カバーも、グラインダに対して任意の角度で取り付け可能である。従って、保護カバーの構成要素に関し前後左右を説明するときには、この研削加工時の一般的に配置に基づいて方向を説明しているだけであり、グラインダに対する保護カバーの周方向の向きが特定方向に限定されるわけではないことを理解されたい。
【００５０】
［第一実施形態］
第一実施形態のグラインダ１００は、図１に示すグラインダ１又は類似のグラインダに、保護カバーセット１１０として、図３〜図６に示す第一保護カバー１２０及び第二保護カバー１７０が装着された構成にされる。
【００５１】
第一保護カバー１２０は、スピンドル２４の周方向に広がるカバー本体１３０と、カバー本体１３０を第二ギヤハウジング３０に固定するためのレバー固定部１５０を備える。
カバー本体１３０は、上述の保護カバー６０と同様に、先端工具４０の上部後方の半円部分を覆うための半円状の上部構成体１３１と、上部構成体１３１の外周端縁から下方に延びる側部構成体１３３とを、備える。この構成により、カバー本体１３０は、スピンドル２４の周方向に広がって先端工具４０の上方及び側方を覆うように機能する。上部構成体１３１及び側部構成体１３３は、例えば金属材料により一体に形成される。側部構成体１３３は、図示されないが径方向内側に湾曲した湾曲部を下端に備える。
【００５２】
レバー固定部１５０は、レバー１５５により径方向内側に締付け可能なリング状部材として上部構成体１３１に設けられる。上部構成体１３１は、第二ギヤハウジング３０のカバー接続部３１の周方向に沿って、上方に延びる延設部位を有し、この延設部位でレバー固定部１５０に接続される。
【００５３】
レバー固定部１５０は、図３に示されるように、回動軸１５３を中心に回動するレバー１５５を有し、このレバー１５５が径方向内側に倒されると、レバー固定部１５０の内側を、第二ギヤハウジング３０のカバー接続部３１に締め付けるように機能する。
【００５４】
このレバー固定部１５０の機能により、第一保護カバー１２０は、第二ギヤハウジング３０に固定される。第一保護カバー１２０は、第二ギヤハウジング３０のカバー接続部３１に嵌め込まれた後、締め付けられることにより、カバー接続部３１に固定される。
【００５５】
第二保護カバー１７０は、図３及び図４に示されるように、第一保護カバー１２０とは独立して、グラインダ１００の第一ギヤハウジング６に着脱可能に固定される。グラインダ１００は、図３に示すように、作業者により把持されるグリップ７０を着脱可能に固定するための一対のグリップ固定部６Ａを、第一ギヤハウジング６の表面において左右に備える。グリップ固定部６Ａの実体は、螺子孔である。グリップ７０は、グリップ本体７１の一旦に螺子部７３を備え、グリップ７０は、螺子部７３がグリップ固定部６Ａと螺合することにより、第一ギヤハウジング６に固定される。
【００５６】
第二保護カバー１７０は、このグリップ固定部６Ａで第一ギヤハウジング６に着脱可能に固定され、第一保護カバー１２０の下方で、第一保護カバー１２０によっては覆われない先端工具４０の下方領域を覆う。具体的に、第二保護カバー１７０は、第一保護カバー１２０の下方を覆うカバー本体１７１と、カバー本体１７１を第一保護カバー１２０の下方で保持する保持具１８０と、を備えた構成にされる。
【００５７】
保持具１８０は、図４に示されるように長尺な板状部材により構成される。保持具１８０は、グリップ固定部６Ａにおいてグリップ７０の螺子部７３に貫挿される貫通孔１８１を一端に備える。保持具１８０は、図３に示されるように、貫通孔１８１に螺子部７３が貫挿された状態で、グリップ７０がグリップ固定部６Ａに螺子留めされることにより、グリップ７０とグリップ固定部６Ａとの間に挟持される。この挟持により、第二保護カバー１７０は、グリップ固定部６Ａで第一ギヤハウジング６に固定される。第二保護カバー１７０は、グリップ７０の螺子部７３に代えて、汎用的な螺子を用いてグリップ固定部６Ａで固定されてもよい。
【００５８】
保持具１８０は、図３及び図５に示すように、第一ギヤハウジング６に固定された状態で、板状部材が、貫通孔１８１を備える一端から、第一保護カバー１２０を避けるように、第一及び第二ギヤハウジング６，３０並びに第一保護カバー１２０の側方を通って下方に延びるように構成されている。更に言えば、保持具１８０は、板状部材が第一保護カバー１２０の下端を抜けた地点で湾曲して、上下方向に垂直な面に沿ってスピンドル２４の軸線と重なる地点まで延びた構成にされている。保持具１８０は、グリップ固定部６Ａに固定される一端とは反対側の端で、カバー本体１７１を、回動ピン１７５を通じて回動可能に保持する。
【００５９】
カバー本体１７１は、第一保護カバー１２０の形状に対応した半円状の金属板又は樹脂板により構成され、スピンドル２４の下方で、周方向（スピンドル２４の回転方向又は外周方向）に回動可能に、保持具１８０に保持される。
【００６０】
即ち、カバー本体１７１は、カバー本体１７１の外周に沿う円の中心を通る軸周りに回動可能に、保持具１８０に保持される。カバー本体１７１は、その外周に沿う円の中心付近に保持具１８０との接続部１７３を有しており、接続部１７３において保持具１８０と回動ピン１７５を通じて回動可能に接続される。
【００６１】
カバー本体１７１は更に、左右端に上方を向く延設部１７７を有している。延設部１７７は、カバー本体１７１が第一保護カバー１２０の下方に配置されたときに、第一保護カバー１２０の側部構成体１３３と係合して、カバー本体１７１を第一保護カバー１２０に対して回動しないように保持する。カバー本体１７１の保持具１８０に対する回動構造は、第二ギヤハウジング３０のカバー接続部３１に取り付けられる第一保護カバー１２０の周方向の向きに合わせて、カバー本体１７１を、第一保護カバー１２０の下方に配置するために設けられている。
【００６２】
本実施形態によれば、従来型の保護カバー６０と同様の構成を有する第一保護カバー１２０とは独立して、グリップ固定部６Ａにおいてグリップ７０と共に第一ギヤハウジング６に着脱可能に固定される第二保護カバー１７０が提供される。従って、作業者は必要に応じて、簡単に第二保護カバー１７０を着脱して、先端工具４０を覆う領域を調整することができる。結果、本実施形態によれば、グラインダ１００の作業性及び粉塵の飛散抑制能力が向上する。
【００６３】
即ち、作業者は、研削砥石を先端工具４０として用いて研削加工作業を行う場合には、第二保護カバー１７０を取り付けずに、第一保護カバー１２０のみがグラインダ１００に装着された状態で、先端工具４０の下面を用いて加工作業を行うことができる。
【００６４】
一方、作業者は、切断砥石を先端工具４０として用いて切断加工作業を行う場合には、第一保護カバー１２０の下方に、第二保護カバー１７０を、グリップ固定部６Ａを通じて固定して、先端工具４０の下方をカバー本体１７１により覆った状態で、切断加工作業を行うことができる。
【００６５】
先端工具４０として切断砥石を用いる場合には、先端工具４０を被加工材に対し垂直に配置し、先端工具４０の側縁で被加工材を加工する状況が発生する。この状況では、先端工具４０の下方が作業者側を向く可能性がある。従って、作業者は、先端工具４０の下方領域が覆われるように第二保護カバー１７０を装着することで、第二保護カバー１７０を取り付けない場合よりも良好な環境で切断加工作業を行うことができる。図６に示されるグラインダ１００では、第一保護カバー１２０の周方向の向きが、切断加工作業に適した向きに調整されており、それに合わせてカバー本体１７１の向きも保持具１８０の向きから回動により調整されている。
【００６６】
［第二実施形態］
第二実施形態のグラインダ２００は、図１に示すグラインダ１又は類似のグラインダに対して、第一実施形態と同一構成の第一保護カバー１２０が第二ギヤハウジング３０のカバー接続部３１に装着された構成にされる。更に、本実施形態によれば、第一保護カバー１２０とは独立して、グラインダ本体に対して着脱可能な第二保護カバー２７０が提供される。即ち、本実施形態によれば、保護カバーセット２１０として、図７及び図８に示す第一保護カバー１２０及び第二保護カバー２７０の組み合わせが提供される。
【００６７】
本実施形態の第二保護カバー２７０は、第一実施形態と同一構成のカバー本体１７１が、本実施形態に特徴的な保持具２８０に回動可能に接続された構成にされる。保持具２８０は、第一実施形態の保持具１８０の形状に対応した部位がスピンドル２４の軸線（回動ピン１７５の回転軸）を通って前後方向に延びる面を基準に、左右対称（面対称）に設けられた構成にされる。
【００６８】
保持具２８０は、図８に示されるように長尺な板状部材により構成される。保持具２８０は、貫通孔２８１を両端に備える。保持具２８０は、これら二つの貫通孔２８１にグリップ７０の螺子部７３又は汎用的な螺子が貫挿されて、左右のグリップ固定部６Ａに螺子留めされる。この螺子留めにより、第二保護カバー２７０は、グリップ固定部６Ａで第一ギヤハウジング６に固定される。
【００６９】
保持具２８０は、第一ギヤハウジング６に固定された状態で、板状部材が、貫通孔２８１を備える端部から、第一保護カバー１２０を避けるように、第一及び第二ギヤハウジング６，３０並びに第一保護カバー１２０の側方を通って下方に延びるように構成されている。更に言えば、保持具２８０は、板状部材が第一保護カバー１２０の下端を抜けた地点で湾曲して、上下方向に垂直な面に沿ってスピンドル２４の軸線と重なる地点まで延びた構成にされる。保持具２８０は、スピンドル２４の軸線に重なる位置で、カバー本体１７１を、回動ピン１７５を通じて回動可能に保持する。本実施形態によれば、第二保護カバー２７０を左右のグリップ固定部６Ａを通じて安定的に強固に固定することが可能である。
【００７０】
［第三実施形態］
第三実施形態のグラインダ３００は、図１に示すグラインダ１又は類似のグラインダに対して、第一実施形態と同一構成の第一保護カバー１２０が第二ギヤハウジング３０のカバー接続部３１に装着された構成にされる。更に、本実施形態によれば、第一保護カバー１２０とは独立して、グラインダ本体に対して着脱可能な第二保護カバー３７０が提供される。即ち、本実施形態によれば、保護カバーセット３１０として、図９〜図１２に示す第一保護カバー１２０及び第二保護カバー３７０の組み合わせが提供される。
【００７１】
本実施形態の第二保護カバー３７０は、第一実施形態と同一構成のカバー本体１７１が、本実施形態に特徴的な保持具３８０に回動可能に接続された構成にされる。保持具３８０は、カバー本体１７１とは異なりグラインダ３００に対して回転不可能に配置される当該保持具３８０が被加工材に干渉して作業性が低下するのを抑制可能な構成を有する。即ち、保持具３８０は、第一実施形態及び第二実施形態とは異なり、第一保護カバー１２０の側方ではなく後方を通って、カバー本体１７１を回動可能に保持する構成にされる。
【００７２】
保持具３８０は、図１０に示されるように、スピンドル２４の軸線（回動ピン１７５の回転軸）を通って前後方向に延びる面を基準に、左右対称（面対称）な形状を有する。保持具３８０は、左右のグリップ固定部６Ａに対応する二つの貫通孔３８１を備える。保持具３８０は、これら二つの貫通孔３８１にグリップ７０の螺子部７３又は汎用的な螺子が貫挿されて、左右のグリップ固定部６Ａに螺子留めされる。この螺子留めにより、第二保護カバー３７０は、グリップ固定部６Ａで第一ギヤハウジング６に固定される。
【００７３】
保持具３８０は、図９及び図１１に示すように、第一ギヤハウジング６に固定された状態で、貫通孔３８１を備える二つの接続部３８３が、第二ギヤハウジング３０の後方に向かって湾曲するように延びた構成にされる。これら二つの接続部３８３は、第二ギヤハウジング３０の後方で、カバー本体保持部３８５に連結された構成にされる。カバー本体保持部３８５は、第二ギヤハウジング３０の後方から、第一保護カバー１２０の後方を通って下方に延びるように構成されている。
【００７４】
カバー本体保持部３８５は、第一保護カバー１２０の下端を抜けた地点で湾曲して、上下方向に垂直な面に沿ってスピンドル２４の軸線と重なる地点まで延びた構成にされている。カバー本体保持部３８５は、スピンドル２４の軸線と重なる地点で、カバー本体１７１を、回動ピン１７５を通じて回動可能に保持する。
【００７５】
本実施形態によれば、保持具３８０がスピンドル２４の軸線と重なるカバー本体１７１との回動部から左右に広がらず、後方を通って、第一ギヤハウジング６のグリップ固定部６Ａに延びているため、加工作業時に保持具３８０が被加工材と干渉する可能性を抑えることができる。
【００７６】
図１２に示されるグラインダ３００では、第一保護カバー１２０の周方向の向きが、切断加工作業に適した向きに調整されており、それに合わせてカバー本体１７１の向きも保持具３８０の向きから回動により調整されている。本実施形態によれば、このような状態においても保持具３８０は、第一保護カバー１２０によって覆われる先端工具４０の下方領域を通ってカバー本体１７１に接続される。従って、加工作業時に保持具３８０が被加工材と干渉する可能性を抑えることができる。
【００７７】
保持具３８０が第一保護カバー１２０の後方を通ることは、グラインダ３００を把持する作業者側を通ること、グラインダ３００の作業者によって把持される側を通ること、加工作業時に被加工材と接触する先端工具４０の部位とは反対側を通ること若しくは当該部位から離れた位置を通ること、又は、長尺なグラインダ３００のスピンドル２４及び先端工具４０が位置する側とは反対側を通ることに対応する。
【００７８】
［第四実施形態］
第四実施形態のグラインダ４００は、図１に示すグラインダ１又は類似のグラインダに対して、第一実施形態から第三実施形態と類似した構成を有する第一保護カバー４２０が第二ギヤハウジング３０のカバー接続部３１に装着された構成にされる。
【００７９】
更に、本実施形態によれば、第一保護カバー４２０に対して着脱可能な第二保護カバー４７０が提供される。即ち、本実施形態によれば、保護カバーセット４１０として、図１３〜図１５に示す第一保護カバー４２０及び第二保護カバー４７０の組み合わせが提供される。
【００８０】
本実施形態によれば、第二ギヤハウジング３０のカバー接続部３１に固定された第一保護カバー４２０に対して、図１３及び図１４に示すように第二保護カバー４７０が着脱されることにより、保護カバーセット４１０によって覆われる先端工具４０の下方領域が変化する。
【００８１】
第一保護カバー４２０は、上述の保護カバー６０と同様に構成され、スピンドル２４の周方向に広がるカバー本体４３０と、カバー本体４３０を第二ギヤハウジング３０に固定するための円筒部４５０を備える。
【００８２】
カバー本体４３０は、半円状の上部構成体４３１と、上部構成体４３１の外周端縁から下方に延びる側部構成体４３３とを、備える。この構成により、カバー本体４３０は、スピンドル２４の周方向に広がって先端工具４０の上方及び側方を覆うように機能する。上部構成体４３１及び側部構成体４３３は、例えば金属材料により一体に形成される。
【００８３】
上部構成体４３１は、円筒部４５０に対応する位置で上方に延びる延設部位を有し、この延設部位で円筒部４５０に接続される。円筒部４５０は、この延設部位と一体に構成される、又は、延設部位とは別体に構成される。
【００８４】
円筒部４５０は、円筒部６７と同様に開環形状にされ、図１３に示されるように、周方向において開いた部分に、第二ギヤハウジング３０のカバー接続部３１に対して円筒部４５０を締め付けるための締付部４５５を備える。
【００８５】
締付部４５５は、この締付部４５５を両側から挟む螺子とナットとの位置関係が変化することにより、円筒部４５０の内側を、第二ギヤハウジング３０のカバー接続部３１に締め付けるように機能する。この円筒部４５０の機能により、第一保護カバー４２０は、第二ギヤハウジング３０に固定される。
【００８６】
第二保護カバー４７０は、弾性材料、具体的にはゴム材料により、その全体が構成される。この第二保護カバー４７０は、第一保護カバー４２０が備えるカバー本体４３０の上面を覆うための半円状の上部構成体４７１と、上部構成体４７１の外周端縁から下方に延びる側部構成体４７３と、側部構成体４７３の下端から、上下方向に垂直な面に沿って、径方向内側（スピンドル２４の軸線側）に延びる下部構成体４７５と、を備える。下部構成体４７５は、第二保護カバー４７０が第一保護カバー４２０に装着された際に、第一保護カバー４２０により覆われない先端工具４０の下方領域を覆うために設けられる。
【００８７】
第二保護カバー４７０は、上部構成体４７１、側部構成体４７３及び下部構成体４７５によって形成される内部空間の形状が、第一保護カバー４２０の外面形状とおよそ一致するように構成される。これにより、第二保護カバー４７０は、第一保護カバー４２０に、その外側から装着されたときに第一保護カバー４２０の外面にフィットするように配置される。第二保護カバー４７０は、第一保護カバー４２０から簡単には抜けないように、第一保護カバー４２０に装着された状態で、自身を構成するゴム材料が伸長し、第一保護カバー４２０の外面に強く密着するような大きさに設計されてもよい。
【００８８】
本実施形態によれば、第二保護カバー４７０は、第一保護カバー４２０から簡単には抜けないように、側部構成体４７３の左右端部に、第一保護カバー４２０が備える側部構成体４３３の左右端部と係合する係合部４７７を更に備える。係合部４７７は、側部構成体４３３の左右端部を外側から内側に囲むように湾曲している。係合部４７７は、この湾曲により、第二保護カバー４７０が第一保護カバー４２０から抜けるのを阻害する。係合部４７７は、弾性材料としてのゴム材料により、上部構成体４７１及ぶ側部構成体４７３と一体に形成される。
【００８９】
本実施形態によれば、作業者は、研削砥石を用いて研削加工作業を行う場合には、第二保護カバー４７０を取り付けずに、第一保護カバー４２０がグラインダ４００に装着された状態で、先端工具４０の下面を用いて加工作業を行うことができる。
【００９０】
一方、作業者は、切断砥石を用いて切断加工作業を行う場合には、ゴム製の第二保護カバー４７０の第一保護カバー４２０への挿入口４８０を左右に広げるように変形させて、係合部４７７が第一保護カバー４２０の側部構成体４３３と係合するように、第二保護カバー４７０を、第一保護カバー４２０に装着することができる。このようにして、作業者は、第一保護カバー４２０により覆われない先端工具４０の下方領域を、第二保護カバー４７０で覆うことができる。作業者は、このように先端工具４０の下方を覆った状態で、切断加工作業を行うことができる。
【００９１】
従って、作業者は、研削砥石を用いた加工作業及び切断砥石を用いた加工作業を行う場合のいずれに場合においても、先端工具４０を適切に覆って、作業性良く加工作業を行うことができる。
【００９２】
［第五実施形態］
第五実施形態のグラインダ５００は、図１に示すグラインダ１又は類似のグラインダに対して、第一実施形態の第一保護カバー１２０に一部類似した構成を有する第一保護カバー５２０が第二ギヤハウジング３０のカバー接続部３１に装着された構成にされる。
【００９３】
更に、本実施形態によれば、第一保護カバー５２０に対して着脱可能な第二保護カバー５７０が提供される。即ち、本実施形態によれば、保護カバーセット５１０として、図１６〜図２４に示す第一保護カバー５２０及び第二保護カバー５７０の組み合わせが提供される。
【００９４】
本実施形態によれば、第一保護カバー５２０に対して第二保護カバー５７０が異なる向きで装着されることにより、保護カバーセット５１０によって覆われる先端工具４０の領域が変化する。
【００９５】
第一保護カバー５２０は、第一実施形態の第一保護カバー１２０に第二保護カバー５７０を固定するための長方形状の貫通孔５３５が設けられた構成にされる。即ち、第一保護カバー５２０は、スピンドル２４の周方向に広がるカバー本体５３０と、カバー本体５３０を第二ギヤハウジング３０に固定するための円筒部５５０とを備える。
【００９６】
カバー本体５３０は、先端工具４０の上部後方の半円部分を覆うための半円状の上部構成体５３１と、上部構成体５３１の外周端縁から下方に延びる側部構成体５３３とを、備える。上部構成体５３１及び側部構成体５３３は、例えば金属材料により一体に形成される。カバー本体５３０は、周方向に０度から１８０度の範囲で延びる側部構成体５３３の９０度の位置に、固定具５９０を装着するための貫通孔５３５を備える。側部構成体５３３は、径方向内側に湾曲した湾曲部５３４を下端に備える。
【００９７】
円筒部５５０は、第一実施形態の円筒部１５０と同様に構成され、上部構成体５３１に設けられる。第一保護カバー５２０は、円筒部５５０を介して第二ギヤハウジング３０のカバー接続部３１に固定される。
【００９８】
第二保護カバー５７０は、第一保護カバー５２０のカバー本体５３０の外面に沿う内面を有した構成にされる。具体的に、第二保護カバー５７０は、第一保護カバー５２０の上部構成体５３１の外面に対応した内面形状を有する上部構成体５７１と、上部構成体５７１の外周端縁から下方に延びる側部構成体５７３と、を備える。上部構成体５７１及び側部構成体５７３は、例えば金属材料により一体に形成される。側部構成体５７３は、第一保護カバー５２０の側部構成体５３３の外面に対応した内面形状を有する。但し、側部構成体５７３は、図１９及び図２０から理解できるように、第一保護カバー５２０が備える湾曲部５３４に対応する部分を備えない構成にされる。
【００９９】
第二保護カバー５７０は、周方向に０度から１８０度の範囲で延びる側部構成体５７３の９０度の位置に、固定具５９０を装着するための貫通孔５７５を備える。この貫通孔５７５は、第二保護カバー５７０が、第一保護カバー５２０に対して上向き及び下向きのいずれの向きで配置された場合においても、第一保護カバー５２０の貫通孔５３５と連通するように配置される。
【０１００】
図１６、図１７、図１８、図１９及び図２０は、第二保護カバー５７０が第一保護カバー５２０に対して上向きで装着される例を示す。図２１、図２１、図２２、図２３及び図２４は、第二保護カバー５７０が第一保護カバー５２０に対して下向きで装着される例を示す。
【０１０１】
図１６〜図２０に示すように、第二保護カバー５７０は、上向きで第一保護カバー５２０に装着される場合には、第一保護カバー５２０の上部外面と第二保護カバー５７０の先端工具４０を向く内面とが近接するように第一保護カバー５２０に装着される。これにより、第二保護カバー５７０は、第一保護カバー５２０の上部外面側に収容される。
【０１０２】
このようにして第二保護カバー５７０が第一保護カバー５２０に上向きで装着されると、第一保護カバー５２０の貫通孔５３５と、第二保護カバー５７０の貫通孔５７５とが連通する。この連通する貫通孔５３５及び貫通孔５７５には、作業者の操作により、第二保護カバー５７０の外側から固定具５９０が挿入される。固定具５９０は、作業者によるツマミ５９１の操作により、固定具５９０の軸線を中心に９０度回転される。これにより、第二保護カバー５７０は、第一保護カバー５２０から抜けないように、第一保護カバー５２０に固定される。
【０１０３】
図１９及び図２０に示すように、固定具５９０は、ツマミ５９１と、ツマミ５９１から貫通孔５３５，５７５への挿入方向に沿って突出する鍵部５９３と、を備えた構成にされる。鍵部５９３は、ツマミ５９１から挿入方向に延びる括れ部５９３Ａと、括れ部５９３Ａの挿入方向先端に設けられた長方形状の係合部５９３Ｂと、を有する。
【０１０４】
括れ部５９３Ａは、貫通孔５３５，５７５に挿入可能であって、挿入方向に対応する固定具５９０の軸線周りのツマミ５９１の回転によらず、貫通孔５３５，５７５に干渉しない径サイズの棒形状にされる。括れ部５９３Ａは、ツマミ５９１からの突出量が、側部構成体５３３，５７３の厚みに対応するように設計される。
【０１０５】
係合部５９３Ｂは、固定具５９０の軸線に垂直な断面が貫通孔５３５，５７５よりも僅かに小さい相似形状にされる。
このように構成される固定具５９０によれば、作業者は、図１９に示すように、係合部５９３Ｂが貫通孔５３５，５７５を貫通して、第一保護カバー５２０の内側に出た後、ツマミ５９１を回して、図２０に示すように、係合部５９３Ｂを、貫通孔５３５，５７５の長方形に対して９０度に傾いた状態にすることで、第二保護カバー５７０を、第一保護カバー５２０から抜けないように固定することができる。
【０１０６】
図２１〜図２４に示すように、第二保護カバー５７０が下向きで第一保護カバー５２０に装着される場合には、第二保護カバー５７０の内面と第一保護カバー５２０の内面とが対向して、第二保護カバー５７０の内面と第一保護カバー５２０の内面との間に先端工具４０を収容する空間が形成される。これにより、第二保護カバー５７０は、第一保護カバー５２０が覆わない先端工具４０の下方領域を被覆可能に配置される。
【０１０７】
第二保護カバー５７０が第一保護カバー５２０に下向きで装着された場合にも、第一保護カバー５２０の貫通孔５３５と、第二保護カバー５７０の貫通孔５７５とは、連通する。この連通する貫通孔５３５及び貫通孔５７５には、作業者の操作により、第二保護カバー５７０の外側から固定具５９０が挿入され、ツマミ５９１が回される。これにより、第二保護カバー５７０は、第一保護カバー５２０から抜けないように、第一保護カバー５２０に固定される。
【０１０８】
本実施形態によれば、第二保護カバー５７０の向きの変更によって、保護カバーセット５１０により覆われる先端工具４０の領域を変更することができる。例えば、作業者は、研削砥石を用いた研削加工時に、第二保護カバー５７０を上向きで第一保護カバー５２０に取り付けて、加工作業を行うことができる。作業者は、切断砥石を用いた切断加工時には、第二保護カバー５７０を下向きで第一保護カバー５２０に取り付けて、先端工具４０の下方領域を覆った状態で、加工作業を行うことができる。
【０１０９】
従って、本実施形態によれば、利便性の高いグラインダ５００を提供することができる。特に、本実施形態によれば、第二保護カバー５７０を先端工具４０の下方領域を覆う目的で使用しないときにも、第一保護カバー５２０に向きを変えて装着しておくことができる。従って、第二保護カバー５７０が第一保護カバー５２０から取り外されたままとされることにより、作業者が第二保護カバー５７０を紛失してしまう可能性を抑制することができる。
【０１１０】
［第六実施形態］
第六実施形態のグラインダ６００は、図１に示すグラインダ１又は類似のグラインダに対して、第一実施形態の第一保護カバー１２０に一部類似した構成を有する第一保護カバー６２０が第二ギヤハウジング３０のカバー接続部３１に装着された構成にされる。
【０１１１】
更に、本実施形態によれば、第一保護カバー６２０に対して着脱可能な第二保護カバー６７０が提供される。即ち、本実施形態によれば、保護カバーセット６１０として、図２５〜図２７に示す第一保護カバー６２０及び第二保護カバー６７０の組み合わせが提供される。
【０１１２】
本実施形態によれば、第一保護カバー６２０に対して第二保護カバー６７０が異なる向きで装着されることにより、保護カバーセット６１０によって覆われる先端工具４０の領域が変化する。
【０１１３】
第一保護カバー６２０は、第一実施形態の第一保護カバー１２０に第二保護カバー６７０を固定するための螺子孔６３５，６３７が設けられた構成にされる。即ち、第一保護カバー６２０は、カバー本体６３０及び円筒部６５０を備え、カバー本体６３０が、半円状の上部構成体６３１と、上部構成体６３１の外周端縁から下方に延びる側部構成体６３３と、を備えた構成にされる。側部構成体６３３は、径方向内側に湾曲した湾曲部６３４を下端に備える。第一保護カバー６２０は、円筒部６５０を介して第二ギヤハウジング３０のカバー接続部３１に固定される。カバー本体６３０及び円筒部６５０は、第一保護カバー１２０が備えるカバー本体１３０及び円筒部１５０に対応する。
【０１１４】
このカバー本体６３０は、側部構成体６３３の左右両端に、第二保護カバー６７０が上向きで装着されるときに、第二保護カバー６７０の貫通孔６７５と連通する螺子孔６３５と、第二保護カバー６７０が下向きで装着されるときに、第二保護カバー６７０の貫通孔６７５と連通する螺子孔６３７と、を備える。
【０１１５】
第二保護カバー６７０は、第一保護カバー６２０のカバー本体６３０の外面に沿う内面を有した構成にされる。具体的に、第二保護カバー６７０は、第一保護カバー６２０の上部構成体６３１の外面に対応した内面形状を有する上部構成体６７１と、上部構成体６７１の外周端縁から下方に延びる側部構成体６７３と、を備える。上部構成体６７１及び側部構成体６７３は、例えば金属材料により一体に形成される。側部構成体６７３は、第一保護カバー６２０の側部構成体６３３の外面に対応した内面形状を有する。
【０１１６】
第二保護カバー６７０は更に、第二保護カバー６７０が第一保護カバー６２０に対して上向きに装着されるときには、第一保護カバー６２０の螺子孔６３５と連通し、第二保護カバー６７０が第一保護カバー６２０に対して下向きに装着されるときには、第一保護カバー６２０の螺子孔６３７と連通する貫通孔６７５を、側部構成体６７３の左右両端に備える。貫通孔６７５は、図２６及び図２７において螺子６９０か装着されている側部構成体６７３の位置に存在すると理解されたい。
【０１１７】
図２５及び図２６に示すように、第二保護カバー６７０は、上向きで第一保護カバー６２０に装着される場合、第一保護カバー６２０の上部外面と第二保護カバー６７０の先端工具４０を向く内面とが近接するように第一保護カバー６２０に装着される。これにより、第二保護カバー６７０は、第一保護カバー６２０の上部外面側に収容される。
【０１１８】
一方、図２７及び図２８に示すように、第二保護カバー６７０が下向きで第一保護カバー６２０に装着される場合には、第二保護カバー６７０の内面と第一保護カバー６２０の内面とが対向して、第二保護カバー６７０の内面と第一保護カバー６２０の内面との間に先端工具４０を収容する空間が形成される。これにより、第二保護カバー６７０は、第一保護カバー６２０が覆わない先端工具４０の下方領域を被覆可能に配置される。
【０１１９】
作業者は、研削砥石を用いた研削加工時には、第二保護カバー６７０を上向きで第一保護カバー６２０に取り付けて、加工作業を行うことができる。このとき、作業者は、貫通孔６７５を通じて、第一保護カバー６２０の螺子孔６３５に螺子６９０を螺合することにより、第二保護カバー６７０を第一保護カバー６２０に螺子留めすることができる。第二保護カバー６７０が上向きで第一保護カバー６２０に取り付けられている状態では、先端工具４０の下方領域が実質的に覆われないので、作業者は、先端工具４０の下面を使って、効率よく加工作業を行うことができる。
【０１２０】
一方、作業者は、切断砥石を用いた切断加工時には、第二保護カバー６７０を下向きで第一保護カバー６２０に取り付けて、先端工具４０の下方領域を覆った状態で、加工作業を行うことができる。このとき、作業者は、貫通孔６７５を通じて、第一保護カバー６２０の螺子孔６３７に螺子６９０を螺合することにより、第二保護カバー６７０を第一保護カバー６２０に螺子留めすることができる。
【０１２１】
このように、本実施形態によれば、第二保護カバー６７０の第一保護カバー６２０に対する装着向きによって、保護カバーセット６１０を研削加工に適した形態、及び、切断加工に適した形態に切り替えて配置することができるので、利便性の高いグラインダ６００を提供することができる。第二保護カバー６７０を先端工具４０の下方領域を覆う目的で使用しないときにも、第一保護カバー６２０に向きを変えて装着しておくことができることの利点は、第五実施形態と同様である。
【０１２２】
［第七実施形態］
第七実施形態のグラインダ７００は、図１に示すグラインダ１又は類似のグラインダに対して、第一実施形態の第一保護カバー１２０に一部類似した構成を有する第一保護カバー７２０が第二ギヤハウジング３０のカバー接続部３１に装着された構成にされる。
【０１２３】
更に、本実施形態によれば、第一保護カバー７２０に対して着脱可能な第二保護カバー７７０が提供される。即ち、本実施形態によれば、保護カバーセット７１０として、図２９〜図３３に示す第一保護カバー７２０及び第二保護カバー７７０の組み合わせが提供される。
【０１２４】
本実施形態によれば、第一保護カバー７２０に対して第二保護カバー７７０が着脱されることにより、保護カバーセット７１０によって覆われる先端工具４０の領域が変化する。第一保護カバー７２０は、第一実施形態の第一保護カバー１２０に、第二保護カバー７７０を固定するための螺子７９０と係合する切欠き７３５（図３３参照）が設けられた構成にされる。
【０１２５】
即ち、第一保護カバー７２０は、図３０に示すようにカバー本体７３０及び円筒部７５０を備え、カバー本体７３０が、半円状の上部構成体７３１と、上部構成体７３１の外周端縁から下方に延びる側部構成体７３３と、を備えた構成にされる。
【０１２６】
側部構成体７３３は、径方向内側に湾曲した湾曲部７３４を下端に備える。湾曲部７３４は、側部構成体７３３の左右端近傍の湾曲部７３４の領域に、螺子７９０と係合する切欠き７３５を備えた構成にされる。第一保護カバー７２０は、円筒部７５０を介して第二ギヤハウジング３０のカバー接続部３１に固定される。
【０１２７】
第二保護カバー７７０は、図３１及び図３２に示すように、半円状の金属板又は樹脂板からなるカバー本体７７１と、カバー本体７７１の外周を構成する側縁において周方向に設けられた凹条７７３と、を備える。カバー本体７７１は、作業者の視界を遮らないようにするための透明な樹脂板又はメッシュ状の板で構成されてもよい。凹条７７３は、第一保護カバー７２０の下方で、周方向に延びる湾曲部７３４を挟むようにして、湾曲部７３４と係合し、第二保護カバー７７０を、第一保護カバー７２０の開口部７３９に保持する。ここで言う開口部７３９は、図３３に示されるように、周方向に延びる湾曲部７３４の端縁から、その端縁に沿う円の径方向内側に位置する第一保護カバー７２０の下側領域である。
【０１２８】
第二保護カバー７７０は、第一保護カバー７２０の横から、開口部７３９の内側に沿って延びる凸条としての湾曲部７３４と凹条７７３とが係合するように、湾曲部７３４に沿って挿入されて、第一保護カバー７２０の開口部７３９を閉塞するように装着される。このとき、第二保護カバー７７０は、図３３に示すように湾曲部７３４に支持される。図３３においては、湾曲部７３４と凹条７７３との係合態様を示すために、第二保護カバー７７０を透過して表す。
【０１２９】
第二保護カバー７７０のカバー本体７７１は、第二保護カバー７７０が第一保護カバー７２０に装着された状態で切欠き７３５と連通する貫通孔７７５を備える。第二保護カバー７７０が第一保護カバー７２０に装着された後には、この貫通孔７７５及び切欠き７３５に螺子７９０が装着され、第二保護カバー７７０が第一保護カバー７２０に螺子留めされる。
【０１３０】
作業者は、研削砥石を用いた研削加工時には、第二保護カバー７７０を第一保護カバー７２０に取り付けずに、加工作業を行うことができる。この状態では、先端工具４０の下方領域が実質的に覆われないので、作業者は、先端工具４０の下面を使って、効率よく加工作業を行うことができる。
【０１３１】
作業者は、切断砥石を用いた切断加工時には、第二保護カバー７７０を第一保護カバー７２０に取り付けて、第一保護カバー７２０では覆われない先端工具４０の下方領域を覆った状態で、加工作業を行うことができる。このとき、作業者は、貫通孔７７５及び切欠き７３５を通じて、第二保護カバー７７０を第一保護カバー７２０の螺子留めすることにより、第二保護カバー７７０を第一保護カバー７２０に簡単に固定することができる。従って、本実施形態によれば、作業性及び粉塵の飛散抑制能力に優れたグラインダ７００を提供することができる。
【０１３２】
［第八実施形態］
第八実施形態のグラインダ８００は、図１に示すグラインダ１又は類似のグラインダに対して、第一実施形態の第一保護カバー１２０に一部類似した構成を有する第一保護カバー８２０が第二ギヤハウジング３０のカバー接続部３１に装着された構成にされる。
【０１３３】
更に、本実施形態によれば、第一保護カバー８２０に対して着脱可能な第二保護カバー８７０が提供される。即ち、本実施形態によれば、保護カバーセット８１０として、図３４〜図３７に示す第一保護カバー８２０及び第二保護カバー８７０の組み合わせが提供される。
【０１３４】
本実施形態によれば、第一保護カバー８２０に対して第二保護カバー８７０が着脱されることにより、保護カバーセット８１０によって覆われる先端工具４０の領域が変化する。第一保護カバー８２０は、第一実施形態の第一保護カバー１２０に第二保護カバー８７０を支持するための支持体８４０が設けられた構成にされる。
【０１３５】
即ち、第一保護カバー８２０は、カバー本体８３０、支持体８４０、及び、円筒部８５０を備え、カバー本体８３０が、半円状の上部構成体８３１と、上部構成体８３１の外周端縁から下方に延びる側部構成体８３３と、を備えた構成にされる。
【０１３６】
側部構成体８３３は、径方向内側に湾曲した湾曲部８３４を下端に備える。支持体８４０は、側部構成体８３３の外周に沿う内面を有する側部構成体８４１と、側部構成体８４１の下端から径方向内側に延びる凹条構成体８４３と、を備えた構成にされる。側部構成体８４１及び凹条構成体８４３は、例えば金属材料により一体に形成される。
【０１３７】
側部構成体８４１は、側部構成体８３３の外周で、側部構成体８３３と結合される。例えば、側部構成体８４１は、側部構成体８３３と溶接される。凹条構成体８４３は、湾曲部８３４の僅かに下方に配置されて、湾曲部８３４の下面と、凹条構成体８４３の上面との間に、開口部８３９の内側に沿って延びる周方向の凹条８４５を構成する。開口部８３９は、図３５に示すように、周方向に延びる湾曲部８３４の端縁から、その端縁に沿う円の径方向内側に位置する第一保護カバー８２０の下側領域である。
【０１３８】
凹条８４５には、第二保護カバー８７０の側縁が上下方向に垂直な横方向から挿入される。側部構成体８４１の左右端には、第二保護カバー８７０を第一保護カバー８２０に固定するための螺子８９０と螺合する螺子孔８４７が設けられる。
【０１３９】
第二保護カバー８７０は、半円状の金属板又は樹脂板であるカバー本体８７１に、螺子８９０と係合する係合部８７３が設けられた構成にされる。係合部８７３は、カバー本体８７１において、螺子孔８４７から側部構成体８４１の内側に突出する螺子８９０の先端部を収容するための切欠きとして構成される。
【０１４０】
第二保護カバー８７０は、第一保護カバー８２０の横から、湾曲部８３４と凹条構成体８４３との間（凹条８４５）に、カバー本体８７１の側縁が収容されるように挿入されて、第一保護カバー８２０の開口部８３９を閉塞するように装着される。このとき、第二保護カバー８７０は、図３６に示すように凹条構成体８４３に支持される。
【０１４１】
第二保護カバー８７０が第一保護カバー８２０に装着された状態で、作業者は、螺子８９０を、側部構成体８４１の内側に突出するように螺子孔８４７に螺合することができる。この突出により螺子８９０の先端は、第二保護カバー８７０が第一保護カバー８２０の凹条８４５から抜けないように、第二保護カバー８７０を第一保護カバー８２０に保持する。
【０１４２】
本実施形態によれば、作業者は、研削砥石を用いた研削加工時には、第二保護カバー８７０を第一保護カバー８２０に取り付けずに、加工作業を行うことができる。この状態では、先端工具４０の下方領域が実質的に覆われない。一方、作業者は、切断砥石を用いた切断加工時には、第二保護カバー８７０を第一保護カバー８２０に取り付けて、第一保護カバー８２０では覆われない先端工具４０の下方領域を覆った状態で、加工作業を行うことができる。従って、本実施形態によれば、作業者が良好な環境で効率よく作業可能なグラインダ８００を提供することができる。
【０１４３】
本実施形態によれば、図３４及び図３５に示すように、作業者が第二保護カバー８７０を第一保護カバー８２０の下方に配置しないときに、第二保護カバー８７０を収容するための収容部８３２が、上部構成体８３１上に設けられている。作業者は、第二保護カバー８７０を使用しないとき、第二保護カバー８７０を、この収容部８３２に嵌め込んで、第一保護カバー８２０上に固定することができる。上部構成体８３１は、第二保護カバー８７０が第一保護カバー８２０上に配置されるときに、第二保護カバー８７０の貫通孔８７５と連通する螺子孔８３１Ａを備える。作業者は、螺子８９０を、貫通孔８７５を通じて螺子孔８３１Ａに螺合することにより、第二保護カバー８７０を第一保護カバー８２０上に固定することができる。従って、本実施形態によれば、利便性の高いグラインダ８００を提供することができる。
【０１４４】
［他の実施形態］
以上に、第一実施形態から第八実施形態について説明したが、本発明のグラインダ、カバーセット及びカバーは、上記実施形態に限定されるものではなく、種々の態様を採ることができる。
【０１４５】
上記実施形態における１つの構成要素が有する機能は、複数の構成要素に分散して設けられてもよい。複数の構成要素が有する機能は、１つの構成要素に統合されてもよい。上記実施形態の構成の一部は、省略されてもよい。上記実施形態の構成の少なくとも一部は、他の上記実施形態の構成に対して付加又は置換されてもよい。特許請求の範囲に記載の文言から特定される技術思想に含まれるあらゆる態様が本発明の実施形態である。
【符号の説明】
【０１４６】
１…グラインダ、４…モータハウジング、６…第一ギヤハウジング、６Ａ…グリップ固定部、８…リアカバー、１２…モータ、１４…回転軸、２０…第一ベベルギヤ、２２…第二ベベルギヤ、２４…スピンドル、２５…螺子部、２６…ベアリング、２８…ベアリング、３０…第二ギヤハウジング、３１…カバー接続部、３２…インナーフランジ、３４…ロックナット、４０…先端工具、６０…保護カバー、６１…上部構成体、６３…側部構成体、６４…湾曲部、６７…円筒部、７０…グリップ、７１…グリップ本体、７３…螺子部、１００…グラインダ、１１０…保護カバーセット、１２０…第一保護カバー、１３０…カバー本体、１３１…上部構成体、１３３…側部構成体、１５０…レバー固定部、１５５…レバー、１７０…第二保護カバー、１７１…カバー本体、１７３…接続部、１７５…回動ピン、１７７…延設部、１８０…保持具、１８１…貫通孔、２００…グラインダ、２１０…保護カバーセット、２７０…第二保護カバー、２８０…保持具、２８１…貫通孔、３００…グラインダ、３１０…保護カバーセット、３７０…第二保護カバー、３８０…保持具、３８１…貫通孔、３８３…接続部、３８５…カバー本体保持部、４００…グラインダ、４１０…保護カバーセット、４２０…第一保護カバー、４３０…カバー本体、４３１…上部構成体、４３３…側部構成体、４５０…円筒部、４５５…締付部、４７０…第二保護カバー、４７１…上部構成体、４７３…側部構成体、４７５…下部構成体、４７７…係合部、４８０…挿入口、５００…グラインダ、５１０…保護カバーセット、５２０…第一保護カバー、５３０…カバー本体、５３１…上部構成体、５３３…側部構成体、５３４…湾曲部、５３５…貫通孔、５５０…円筒部、５７０…第二保護カバー、５７１…上部構成体、５７３…側部構成体、５７５…貫通孔、５９０…固定具、５９１…ツマミ、５９３…鍵部、５９３Ａ…括れ部、５９３Ｂ…係合部、６００…グラインダ、６１０…保護カバーセット、６２０…第一保護カバー、６３０…カバー本体、６３１…上部構成体、６３３…側部構成体、６３４…湾曲部、６３５…螺子孔、６３７…螺子孔、６５０…円筒部、６７０…第二保護カバー、６７１…上部構成体、６７３…側部構成体、６７５…貫通孔、６９０…螺子、７００…グラインダ、７１０…保護カバーセット、７２０…第一保護カバー、７３０…カバー本体、７３１…上部構成体、７３３…側部構成体、７３４…湾曲部、７３５…切欠き、７３９…開口部、７５０…円筒部、７７０…第二保護カバー、７７１…カバー本体、７７３…凹条、７７５…貫通孔、７９０…螺子、８００…グラインダ、８１０…保護カバーセット、８２０…第一保護カバー、８３０…カバー本体、８３１…上部構成体、８３１Ａ…螺子孔、８３２…収容部、８３３…側部構成体、８３４…湾曲部、８３９…開口部、８４０…支持体、８４１…側部構成体、８４３…凹条構成体、８４５…凹条、８４７…螺子孔、８５０…円筒部、８７０…第二保護カバー、８７１…カバー本体、８７３…係合部、８７５…貫通孔、８９０…螺子。
【図１】
0006667236.tif 000002
【図２】
0006667236.tif 000003
【図３】
0006667236.tif 000004
【図４】
0006667236.tif 000005
【図５】
0006667236.tif 000006
【図６】
0006667236.tif 000007
【図７】
0006667236.tif 000008
【図８】
0006667236.tif 000009
【図９】
0006667236.tif 000010
【図１０】
0006667236.tif 000011
【図１１】
0006667236.tif 000012
【図１２】
0006667236.tif 000013
【図１３】
0006667236.tif 000014
【図１４】
0006667236.tif 000015
【図１５】
0006667236.tif 000016
【図１６】
0006667236.tif 000017
【図１７】
0006667236.tif 000018
【図１８】
0006667236.tif 000019
【図１９】
0006667236.tif 000020
【図２０】
0006667236.tif 000021
【図２１】
0006667236.tif 000022
【図２２】
0006667236.tif 000023
【図２３】
0006667236.tif 000024
【図２４】
0006667236.tif 000025
【図２５】
0006667236.tif 000026
【図２６】
0006667236.tif 000027
【図２７】
0006667236.tif 000028
【図２８】
0006667236.tif 000029
【図２９】
0006667236.tif 000030
【図３０】
0006667236.tif 000031
【図３１】
0006667236.tif 000032
【図３２】
0006667236.tif 000033
【図３３】
0006667236.tif 000034
【図３４】
0006667236.tif 000035
【図３５】
0006667236.tif 000036
【図３６】
0006667236.tif 000037
【図３７】
0006667236.tif 000038